(57)【要約】【課題】画像上下左右の周辺部における画像特性が等しい画像を得ることができる撮像装置及びその撮像装置の制御方法を提供する。【解決手段】撮影光学系及び光電変換素子を含む画像撮影部と、画像撮影部により入力される画像を圧縮するための画像圧縮手段と、撮影された画像又は圧縮された画像を記録する画像記録手段と、を有する撮像装置であって、画像撮影部により入力された画像から一部分を切り出し、縦横の画素数が等しい正方形の画像として記録する機能を有することを特徴とする。【選択図】図１
2008131109.tif 000002
【特許請求の範囲】
【請求項１】
撮影光学系及び光電変換素子を含む画像撮影部と、該画像撮影部により入力される画像を圧縮するための画像圧縮手段と、撮影された画像又は圧縮された画像を記録する画像記録手段と、を有する撮像装置であって、
前記画像撮影部により入力された画像から一部分を切り出し、縦横の画素数が等しい正方形の画像として記録する機能を有することを特徴とする撮像装置。
【請求項２】
縦横の画素数が等しいアスペクト比を含む複数のアスペクト比の中から、所望のアスペクト比を選択可能なアスペクト比選択機能を有することを特徴とする請求項１記載の撮像装置。
【請求項３】
前記アスペクト比選択機能は、前記アスペクト比と記録画素数とを同時に指定可能な機能を有することを特徴とする請求項２記載の撮像装置。
【請求項４】
正方形の画像を記録する際には、撮影前のモニタリング画像において、記録範囲を示す図形を重畳表示する機能を有することを特徴とする請求項１から３のいずれか１項に記載の撮像装置。
【請求項５】
正方形の画像を記録する際には、撮影前のモニタリング画像において、記録されない部分に対応する範囲の画像を表示しないことを特徴とする請求項１から４のいずれか１項に記載の撮像装置。
【請求項６】
撮影光学系及び光電変換素子を含む画像撮影部と、該画像撮影部により入力される画像を圧縮するための画像圧縮手段と、撮影された画像又は圧縮された画像を記録する画像記録手段と、を有する撮像装置の制御方法であって、
前記画像撮影部により入力された画像から一部分を切り出し、縦横の画素数が等しい正方形の画像として記録することを特徴とする撮像装置の制御方法。
【請求項７】
縦横の画素数が等しいアスペクト比を含む複数のアスペクト比の中から、所望のアスペクト比を選択可能とすることを特徴とする請求項６記載の撮像装置の制御方法。
【請求項８】
前記アスペクト比の選択時に、前記アスペクト比と記録画素数とを同時に指定することが可能であることを特徴とする請求項７記載の撮像装置の制御方法。
【請求項９】
正方形の画像を記録する際には、撮影前のモニタリング画像において、記録範囲を示す図形を重畳表示することを特徴とする請求項６から８のいずれか１項に記載の撮像装置の制御方法。
【請求項１０】
正方形の画像を記録する際には、撮影前のモニタリング画像において、記録されない部分に対応する範囲の画像を表示しないことを特徴とする請求項６から９のいずれか１項に記載の撮像装置の制御方法。
【発明の詳細な説明】
【技術分野】
【０００１】
本発明は、デジタルカメラ等の撮像装置及び撮像装置の制御方法に関し、特に、記録画像のアスペクト比を設定する手段を備えた撮像装置及び撮像装置の制御方法に関する。
【背景技術】
【０００２】
デジタルスチルカメラ等の撮像装置に係る従来技術例として、例えば、受光面が正方形の撮像素子で撮像した被写体の画像を、同様に正方形のＬＣＤファインダに全画面表示可能なもの（例えば、特許文献１参照）や、記録媒体インタフェース部へ非圧縮画像データを転送する手段と、画像同期を示す符号を生成し、非圧縮画像データを挿入するとともに、画像ブランキング期間に時間軸方向に圧縮した音声データを挿入する手段とを備えることにより、画像データの同期位置がわかり、また、音声データもリアルタイムに転送できるもの（例えば、特許文献２参照）がある。これらの撮像装置は、アスペクト比（縦横比）を設定する機能を備えている。
【０００３】
また、ＣＣＤ（光電変換素子）などのイメージャから取り込んだデータの一部を記録の用に供さないことにより、記録する画像のアスペクト比を変化させる機能を有する撮影装置が知られている。この機能により選択できるアスペクト比としては、３：２（３５ｍｍフィルムカメラによるフルサイズ画像相当）、４：３（ＮＴＳＣ方式などによるテレビ放送画像相当）、１６：９（ワイドテレビ放送画像相当）などが一般的である。これらのアスペクト比は、テレビ放送やフィルムカメラで用いられているアスペクト比との互換性を有し、いずれも長方形の形状であることが特徴である。
【０００４】
一方、上述したような従来の撮影装置で用いられる光学系、すなわち、光軸を回転対称軸とする球面レンズまたは非球面レンズで構成される撮影光学系は、撮像面における特性がおおむね中心からの距離に比例する。
【０００５】
従って、長方形の画像面を用いる場合、画像周辺部の特性は、長辺の周辺部と短辺の周辺部とで異なったものとなってしまい、好ましくない。
【特許文献１】特開２００５−３５４５７７号公報
【特許文献２】特許第３３０６８０８号公報
【発明の開示】
【発明が解決しようとする課題】
【０００６】
本発明は、上記事情に鑑みてなされたものであり、画像上下左右の周辺部における画像特性が等しい画像を得ることができる撮像装置及びその撮像装置の制御方法を提供することを目的とする。
【課題を解決するための手段】
【０００７】
かかる目的を達成するために、請求項１記載の発明は、撮影光学系及び光電変換素子を含む画像撮影部と、画像撮影部により入力される画像を圧縮するための画像圧縮手段と、撮影された画像又は圧縮された画像を記録する画像記録手段と、を有する撮像装置であって、画像撮影部により入力された画像から一部分を切り出し、縦横の画素数が等しい正方形の画像として記録する機能を有することを特徴とする。
【０００８】
請求項２記載の発明は、請求項１記載の発明において、縦横の画素数が等しいアスペクト比を含む複数のアスペクト比の中から、所望のアスペクト比を選択可能なアスペクト比選択機能を有することを特徴とする。
【０００９】
請求項３記載の発明は、請求項２記載の発明において、アスペクト比選択機能は、アスペクト比と記録画素数とを同時に指定可能な機能を有することを特徴とする。
【００１０】
請求項４記載の発明は、請求項１から３のいずれか１項に記載の発明において、正方形の画像を記録する際には、撮影前のモニタリング画像において、記録範囲を示す図形を重畳表示する機能を有することを特徴とする。
【００１１】
請求項５記載の発明は、請求項１から４のいずれか１項に記載に発明において、正方形の画像を記録する際には、撮影前のモニタリング画像において、記録されない部分に対応する範囲の画像を表示しないことを特徴とする。
【００１２】
請求項６記載の発明は、撮影光学系及び光電変換素子を含む画像撮影部と、画像撮影部により入力される画像を圧縮するための画像圧縮手段と、撮影された画像又は圧縮された画像を記録する画像記録手段と、を有する撮像装置の制御方法であって、画像撮影部により入力された画像から一部分を切り出し、縦横の画素数が等しい正方形の画像として記録することを特徴とする。
【００１３】
請求項７記載の発明は、請求項６記載の発明において、縦横の画素数が等しいアスペクト比を含む複数のアスペクト比の中から、所望のアスペクト比を選択可能とすることを特徴とする。
【００１４】
請求項８記載の発明は、請求項７記載の発明において、アスペクト比の選択時に、アスペクト比と記録画素数とを同時に指定することが可能であることを特徴とする。
【００１５】
請求項９記載の発明は、請求項６から８のいずれか１項に記載の発明において、正方形の画像を記録する際には、撮影前のモニタリング画像において、記録範囲を示す図形を重畳表示することを特徴とする。
【００１６】
請求項１０記載の発明は、請求項６から９のいずれか１項に記載の発明において、正方形の画像を記録する際には、撮影前のモニタリング画像において、記録されない部分に対応する範囲の画像を表示しないことを特徴とする。
【発明の効果】
【００１７】
本発明によれば、画像上下左右の周辺部における画像特性が等しい画像を得ることができる。
【発明を実施するための最良の形態】
【００１８】
以下、本発明を実施するための最良の形態について添付図面を参照して詳細に説明する。
【実施例】
【００１９】
本発明の実施例である撮像装置とその制御方法について以下に説明する。
図１に、本実施例の撮像装置（画像処理装置）の構成を示す。画像撮影部１においては、マイコン（ＣＰＵ）２０からの指示に従って撮像レンズ系機構部１１を動作させ、ＣＣＤ（光電変換部）１５などのイメージャから得られた画像信号をＡ／Ｄ（アナログ／デジタル）変換部１６にてデジタルデータに変換し、処理システム部２に渡す。なお、本実施例では、ＣＣＤ（光電変換部）１５として、長方形状のＣＣＤを用いる（上記特許文献１は、正方形状のＣＣＤを用いる撮像装置であり、この点で本発明とは異なる）。
【００２０】
処理システム部２においては、イメージャから得られた画像データから、必要に応じてＲＧＢもしくはＹＵＶ形式の画像データの生成、画像データのリサイズ、画像の圧縮等の処理を行い、記録用の画像データを生成する。記録用の画像データは、記憶媒体制御回路２６の制御により、メモリカードなどの記録媒体４に記録するのが一般的である。表示装置３では、撮影される画像や、撮影に関する情報などを表示する。
【００２１】
図２に示すように、一般的な撮像素子では、横方向の画素数のほうが縦方向の画素数よりも多いため、記録画像のアスペクト比もそれにならうことが多い。しかしながらこのような長方形の撮像素子を用いる場合、図２に示すように、撮影レンズ光学系もそれに合わせて設計する必要がある。すなわち、イメージサークルの直径を撮像素子の対角線長よりも長くする必要がある。一方、イメージサークルの内側であっても、一般に撮像光学系は中心部と周辺部で各種の光学特性は一致しない。たとえば、周辺部は中心部と比較して、光量が不足したり、解像性能が低くなったりする。従って、四角形の撮像素子を用いる場合、四隅が最も画像性能上厳しい条件となる。長方形の撮像素子では、各辺の中央付近を比較すると短辺のほうが長辺よりも画像の中心から遠い距離にあるため、短辺側の画質が長辺側よりも条件が厳しくなる。このことは、記録画像が正方形状の場合には発生しない。そこで、本実施例においては、長方形の撮像素子を用いて正方形の画像を記録する方法について明らかにする。
【００２２】
図３に、ＣＣＤ（光電変換部）１５から取り込んだ画像と記録画像との関係を示す。図３に示す長方形の撮像素子では、取り込み画像の横幅は上下幅よりも長い。そこで、本実施例では、取り込まれた画像の一部を用い、たとえば、上下幅と同じ画素数の画像を左右方向にも記録の用に供することによって、正方形の画像の記録が可能となる。
【００２３】
図４に、記録画像設定項目に関する設定画面の例を示す。この画面は、図１に示す表示装置３などに表示され、メニュー上の操作はカメラ操作部９におけるボタンなどの操作によってなされる。各項目について選択された内容は、マイコン２０によりメインメモリ７の一部またはＥＥＰＲＯＭ８上に格納され、図３に示す記録画像の範囲選択に用いられる。図４では、画像解像度の設定項目とは別に、アスペクト比を選択する機能を提供する例を示している。
【００２４】
図５では、記録画素数の選択肢の一つとして正方画像の記録を選択できるようにした例を示している。この例では「２４４８×２４４８」が正方画素の選択肢に相当する。
【００２５】
図６に、正方画像の記録が選択されたときのモニタリング画像の例を示す。図６の例では、長方形の撮像素子から出力される長方形のモニタリング画像のうち、正方画像として記録される範囲を点線などによって示すことにより、記録される範囲を容易に認識できるようにしている。図７に示す例では、記録される範囲以外を画面表示上で黒などに塗りつぶすことにより、記録される範囲を容易に認識できるようにしている。
【００２６】
以上説明したように、本実施例の撮影装置及びその制御方法においては、撮影光学系及び光電変換素子を含む画像撮影部と、画像撮影部により入力される画像を圧縮するための画像圧縮手段と、撮影された画像又は圧縮された画像を記録する画像記録手段と、を有する撮像装置であって、画像撮影部により入力された画像から一部分を切り出し、縦横の画素数が等しい正方形の画像として記録する機能を有することを特徴とするので、正方形の画像を記録する機能を提供することにより、画像上下左右の周辺部における画像特性が等しい画像を得ることができる。
【００２７】
また、上記本実施例の撮影装置及びその制御方法においては、縦横の画素数が等しいアスペクト比を含む複数のアスペクト比の中から、所望のアスペクト比を選択可能なアスペクト比選択機能を有することを特徴とするので、アスペクト比を選択する機能を提供することにより、正方形の画像を選択することを可能となる。
【００２８】
また、上記本実施例の撮影装置及びその制御方法においては、アスペクト比選択機能は、アスペクト比と記録画素数とを同時に指定可能な機能を有することを特徴とするので、アスペクト比の設定を記録画素数の設定を同時に行うことにより、正方形画像選択時の設定を容易化することができる。
【００２９】
また、上記本実施例の撮影装置及びその制御方法においては、正方形の画像を記録する際には、撮影前のモニタリング画像において、記録範囲を示す図形を重畳表示する機能を有することを特徴とするので、モニタリング中の画像に記録範囲を示す図形を重畳表示するため、正方形の画像として記録される画像の範囲を正確に知ることができる。
【００３０】
また、上記本実施例の撮影装置及びその制御方法においては、正方形の画像を記録する際には、撮影前のモニタリング画像において、記録されない部分に対応する範囲の画像を表示しないことを特徴とするので、モニタリング中の画像から記録に含まれない範囲を表示しないようにするため、正方形の画像として記録される画像の範囲を正確に知ることができる。
【００３１】
なお、本発明は、上記実施例の記載に限定されるものではなく、その要旨を逸脱しない範囲において種々の変形が可能である。
【産業上の利用可能性】
【００３２】
本発明は、デジタルスチルカメラ等の撮像装置の他に、画像処理装置全般に適用できる。
【図面の簡単な説明】
【００３３】
【図１】本発明の実施例である撮像装置の構成を示すブロック図である。
【図２】本発明の実施例である撮像装置に係る撮像素子の形状とイメージサークルの関係を模式的に示す図である。
【図３】本発明の実施例である撮像装置に係る取り込み画像と記録画像の関係を模式的に示す図である。
【図４】本発明の実施例である撮像装置に係る設定画面の例を示す図である。
【図５】本発明の実施例である撮像装置に係る設定画面の例を示す図である。
【図６】本発明の実施例である撮像装置に係る記録画像範囲の表示例を示す図である。
【図７】本発明の実施例である撮像装置に係る記録画像範囲の表示例を示す図である。
【符号の説明】
【００３４】
１    画像撮像部
２    処理システム部
３    表示装置
４    メモリーカード等のデータ記憶メモリ
５    加速度センサ
６    通信インターフェース
７    メインメモリ
８    ＥＥＰＲＯＭ（Electrically Erasable Programmable Read-Only Memory）
９    カメラ操作部
１１    撮像レンズ系機構部
１２    モータドライバ
１３    ストロボ
１４    タイミング信号発生器
１５    ＣＣＤ（光電変換素子）
１６    Ａ／Ｄ変換部
２０    マイコン
２１    デジタル信号処理
２２    画像圧縮伸張
２３    画素数変換（リサイズ）
２４    ＤＭＡＣ（Direct Memory Access Controller）
２５    ビデオエンコーダ
２６    記憶媒体制御回路
２７    検出器制御回路
２８    通信制御回路
２９    メモリ制御回路
３０    システムバス
【図１】
2008131109.tif 000003
【図２】
2008131109.tif 000004
【図３】
2008131109.tif 000005
【図４】
2008131109.tif 000006
【図５】
2008131109.tif 000007
【図６】
2008131109.tif 000008
【図７】
2008131109.tif 000009